(57)【特許請求の範囲】
【請求項１】
外部機器と通信を行う通信部を備える携帯電子機器において、
音声を集音する集音部と、
音声を出力する出力部と、
音声の音質補正を行う補正部と、
イヤホンを接続可能な接続部と、
前記接続部にイヤホンが接続されると、前記補正部により補正された音声を該イヤホンから出力する出力制御部と、
前記補正された音声の出力先を前記出力部と前記イヤホンとで切り替えると、前記音質補正の補正パラメータを変更する変更部と、を備え、
前記出力部は、前記集音部により集音され前記補正部により補正された音声を出力し、
前記出力制御部が、前記補正された音声の出力先を前記イヤホンから前記出力部に切り替える場合において、前記変更部は、前記補正パラメータに対応する補正レベルが所定値を超えているときに、該補正レベルを所定レベルに変更する、
携帯電子機器。
【請求項２】
操作部を備え、
前記出力制御部は、前記操作部からの入力に基づいて前記出力部から前記イヤホンに出力先を切り替えて、前記補正された音声を出力する、
請求項１に記載の携帯電子機器。
【請求項３】
前記出力制御部は、前記イヤホンの接続が解除されると、前記補正された音声を前記出力部から出力する、
請求項１又は２に記載の携帯電子機器。
【請求項４】
前記補正パラメータの入力を受け付ける受付部を備え、
前記変更部は、前記受付部から入力された補正パラメータに対応する補正レベルが所定値を超えている場合、前記所定レベルに対応する補正パラメータに変更し、前記受付部から入力された前記補正パラメータに対応する補正レベルが前記所定値を超えていない場合、前記受付部から入力された補正パラメータに変更する、
請求項１から３のいずれか１項に記載の携帯電子機器。
【請求項５】
前記補正された音声の出力中に着信すると、該補正された音声の出力先から着信音を出力する、
請求項１から４のいずれか１項に記載の携帯電子機器。
【請求項６】
第１筐体と、
前記出力部が配置される第２筐体と、
前記出力部が第１筐体で覆われる第１形態と、前記出力部が開放される第２形態との間を相対移動可能に前記第１形態と前記第２筐体とを連結する連結部とを備え、
前記出力制御部は、前記第２形態から前記第１形態に変形すると、前記補正された音声の出力先を前記出力部から前記イヤホンに切り替える、
請求項１から５のいずれか１項に記載の携帯電子機器。
【請求項７】
第１筐体と、
前記出力部が配置される第２筐体と、
前記出力部が第１筐体で覆われる第１形態と、前記出力部が開放される第２形態との間を相対移動可能に前記第１筐体と前記第２筐体とを連結する連結部とを備え、
前記出力制御部は、前記補正された音声の出力先が前記イヤホンである場合、第１形態と第２形態とにかかわらず、該補正された音声の該イヤホンへの出力を継続する、
請求項１から５のいずれか１項に記載の携帯電子機器。
【請求項８】
外部機器と通信を行う通信部を備える携帯電子機器において実行されるプログラムであって、
集音部によって音声を集音する集音ステップと、
補正部によって音声の音質補正を行う補正ステップと、
出力部から音声を出力する出力ステップと、
イヤホンを接続可能な接続部にイヤホンが接続されると、前記補正ステップにより補正された音声を該イヤホンから出力させる出力制御ステップと、
前記補正された音声の出力先を前記出力部と前記イヤホンとで切り替えると、変更部によって前記音質補正の補正パラメータを変更する変更ステップと、を備え、
前記出力ステップは、前記集音部により集音され前記補正部により補正された音声を出力し、
前記出力制御ステップにおいて前記補正された音声の出力先を前記イヤホンから前記出力部に切り替えた場合、前記変更ステップは、前記補正パラメータに対応する補正レベルが所定値を超えているときに、該補正レベルを所定レベルに変更する、
プログラム。
【発明の詳細な説明】
【技術分野】
【０００１】
本発明は、集音機能を有する携帯電子機器、音声出力方法及び音声出力プログラムに関する。
【背景技術】
【０００２】
聴力が低下した携帯電話装置のユーザが増加している。これに対して、イヤホンを接続可能であり、筐体の外部から集めた音声をイヤホンに出力する携帯電話装置が提案されている（例えば、特許文献１参照）。この携帯電話装置は、筐体の外部から集めた音声をイヤホンから出力することでユーザの聴力低下を補うことができる。
【先行技術文献】
【特許文献】
【０００３】
【特許文献１】特開２００８−２１９５８６号公報
【発明の概要】
【発明が解決しようとする課題】
【０００４】
ところで、ユーザは、イヤホンを用いて会話すると、自身の声が普段と異なるように聴こえる。ユーザは、イヤホンを装着して会話を行うと、会話しにくくなってしまう。しかしながら、特許文献１に記載の携帯電話装置では、このような問題に対応することができず、良好に補聴することができない。
【０００５】
本発明は、良好に補聴することができる携帯電子機器、音声出力方法及び音声出力プログラムを提供することを目的とする。
【課題を解決するための手段】
【０００６】
本発明に係る携帯電子機器は、外部機器と通信を行う通信部を備える携帯電子機器において、音声を集音する集音部と、音声を出力する出力部と、音声の音質補正を行う補正部とを備え、前記出力部は、前記集音部により集音され前記補正部により補正された音声を出力することを特徴とする。
【０００７】
本発明に係る携帯電子機器は、イヤホンを接続可能な接続部と、前記接続部にイヤホンが接続されると、前記補正部により補正された音声を該イヤホンから出力する出力制御部とを備えることが好ましい。
【０００８】
本発明に係る携帯電子機器は、操作部を備え、前記出力制御部は、前記操作部からの入力に基づいて前記出力部から該イヤホンに出力先を切り替えて、前記補正された音声を出力することが好ましい。
【０００９】
本発明に係る携帯電子機器では、前記出力制御部は、前記イヤホンの接続が解除されると、前記補正された音声を前記出力部から出力することが好ましい。
【００１０】
本発明に係る携帯電子機器は、前記補正された音声の出力先を前記出力部と前記イヤホンとで切り替えると、前記音質補正の補正パラメータを変更する変更部を備えることが好ましい。
【００１１】
本発明に係る携帯電子機器は、前記出力制御部が、前記補正された音声の出力先を前記イヤホンから前記出力部に切り替える場合において、前記変更部は、前記補正パラメータに対応する補正レベルが所定値を超えているときに、該補正レベルを所定レベルに変更することが好ましい。
【００１２】
本発明に係る携帯電子機器は、前記補正パラメータの入力を受け付ける受付部を備え、前記変更部は、前記受付部から入力された補正パラメータに対応する補正レベルが所定値を超えている場合、前記所定レベルに対応する補正パラメータに変更し、前記受付部から入力された前記補正パラメータに対応する補正レベルが前記所定値を超えていない場合、前記受付部から入力された補正パラメータに変更することが好ましい。
【００１３】
本発明に係る携帯電子機器では、前記補正された音声の出力中に着信すると、該補正された音声の出力先から着信音を出力することが好ましい。
【００１４】
本発明に係る携帯電子機器では、第１筐体と、前記出力部が配置される第２筐体と、前記出力部が第１筐体で覆われる第１形態と、前記出力部が開放される第２形態との間を相対移動可能に前記第１形態と前記第２筐体とを連結する連結部とを備え、前記出力制御部は、前記第２形態から前記第１形態に変形すると、前記補正された音声の出力先を前記出力部から前記イヤホンに切り替えることが好ましい。
【００１５】
本発明に係る携帯電子機器では、第１筐体と、前記出力部が配置される第２筐体と、前記出力部が第１筐体で覆われる第１形態と、前記出力部が開放される第２形態との間を相対移動可能に前記第１筐体と前記第２筐体とを連結する連結部とを備え、前記出力制御部は、前記補正された音声の出力先が前記イヤホンである場合、第１形態と第２形態とにかかわらず、該補正された音声の該イヤホンへの出力を継続することが好ましい。
【００１６】
本発明に係る音声出力方法は、外部機器と通信を行う通信部と、音声を集音する集音部と、音声を出力する出力部と、音声の音質補正を行う補正部とを備える携帯電子機器が音声を出力する音声出力方法であって、前記補正部が補正を行うステップと、前記出力部が前記補正部により補正された音声を出力するステップとを含むことを特徴とする。
【００１７】
本発明に係る音声出力プログラムは、外部機器と通信を行う通信部と、音声を集音する集音部と、音声を出力する出力部と、音声の音質補正を行う補正部とを備える携帯電子機器に音声を出力させる音声出力プログラムであって、前記補正部が補正を行うステップと、前記出力部が前記補正部により補正された音声を出力するステップとを前記携帯電子機器に実行させる。
【発明の効果】
【００１８】
本発明によれば、良好に補聴することができる。
【図面の簡単な説明】
【００１９】
【図１】本実施形態に係る携帯電話機の外観斜視図である。
【図２】本実施形態に係る携帯電話機の機能構成を示すブロック図である。
【図３】本実施形態に係る補正部の機能を示すブロック図である。
【図４】音質補正の調整ターゲット特性を示す概念図である。
【図５】聴力が低下していない人の聴力特性を示す図である。
【図６】聴力が低下した人の聴力特性を示す図である。
【図７】聴力が低下していない人の音の聴こえ方と、聴力が低下した人の音の聴こえ方とを対比する図である。
【図８】本実施形態に係る携帯電話機において集音機能が開始した場合における処理の流れを示すフローチャートである。
【図９】本実施形態に係る携帯電話機において集音機能が動作している場合の割込処理であるイヤホン着脱検出処理の流れを示すフローチャートである。
【図１０】本実施形態に係る携帯電話機において集音機能が動作している場合の割込処理である調整要求処理の流れを示すフローチャートである。
【図１１】本実施形態に係る携帯電話機において集音機能が動作している場合の割込処理である閉状態検出処理の流れを示すフローチャートである。
【図１２】本実施形態に係る携帯電話機において集音機能が動作している場合の割込処理である開状態検出処理の流れを示すフローチャートである。
【発明を実施するための形態】
【００２０】
以下、本発明の携帯電子機器としての携帯電話機について説明する。
図１は、本実施形態に係る携帯電話機の外観斜視図である。
図１に示すように、携帯電話機１は、第１筐体２と、第２筐体３と、を備える。また、携帯電話機１は、第１筐体２と第２筐体３とを開閉可能に連結する連結部４を備える。
【００２１】
携帯電話機１は、第１形態としての閉状態と、第２形態としての開状態とに変形可能に構成される。
閉状態では、第１筐体２と第２筐体３とが互いに重なるように配置される。本実施形態の閉状態では、両筐体における主面同士が対向するように配置される。
【００２２】
開状態では、第１筐体２の主面と第２筐体３の主面とが露出するように配置される。本実施形態の開状態では、図１に示すように、第１筐体２の主面と第２筐体３の主面とが離間して配置される。
【００２３】
第１筐体２は、操作部１１と、入力部としてのマイク１２と、電源操作部１７と、各種インターフェースとを備える。操作部１１と、入力部としてのマイク１２と、電源操作部１７とは、第１筐体２の主面に配置される。
操作部１１は、機能キー１３と、文字キー１４と、操作キー１５と、サイドキー１６とを有する。
【００２４】
機能キー１３は、携帯電話機１の各種設定、電話帳機能、又はメール機能等の各種機能の作動に用いられる。文字キー１４は、電話番号の数字又はメールの文字等の入力に用いられる。操作キー１５は、各種操作における決定又は上下左右方向のスクロール等に用いられる。サイドキー１６は、携帯電話機１の各種設定、電話帳機能、又はメール機能等の各種機能の作動に用いられる。
【００２５】
操作部１１を構成するキーのそれぞれは、機能が割り当てられる。この機能の割り当ては、携帯電話機１における開閉状態、各種モード又は起動されているアプリケーションの種類等に応じて変更される。これらのキーのそれぞれがユーザにより押圧されると、携帯電話機１は、キー押圧時に割り当てられている機能に応じて動作する。
【００２６】
マイク１２は、第１筐体２の長手方向における端部にある。このマイク１２は、連結部４と反対側にある。マイク１２は、携帯電話機１が開状態である場合の一方の端部に配置される。マイク１２は、ユーザが発した音声又は携帯電話機１の環境音等の入力を受け付ける。
【００２７】
電源操作部１７は、携帯電話機１の主電源をＯＮ又はＯＦＦにするための操作部である。
各種インターフェースは、外部機器（例えば、ホスト装置）と通信を行うためのインターフェースと、外部メモリの挿入及び取り出しが行われるインターフェースとを含む。本実施形態において、携帯電話機１は、各種インターフェースの一として、後述の接続部３３を備える。各種インターフェースは、不使用時に、キャップにより覆われる。
【００２８】
第２筐体３は、表示部２１と、出力部としてのレシーバ２３とを備える。表示部２１と、レシーバ２３とは、第２筐体３の主面に配置される。
表示部２１は、文字情報又は画像情報等の各種情報を表示可能に構成される。
レシーバ２３は、第２筐体３の主面に配置される。レシーバ２３は、第２筐体３の長手方向における端部に配置される。レシーバ２３は、連結部４側と反対側にある。レシーバ２３は、話し相手の音声を出力する。このレシーバ２３は、閉状態で第１筐体２に覆われ、開状態で開放される。
【００２９】
連結部４は、開閉ヒンジ機構を有している。連結部４は、第１筐体２の端部と第２筐体３の端部との間に配置される。連結部４は、第１筐体２と第２筐体３とを相対移動可能に連結する。本実施形態の連結部４は、第１筐体２と第２筐体３とを互いにローテンション可能に連結する。第１筐体２と第２筐体３は、回転軸Ｚを中心に回動する。携帯電話機１は、回転軸Ｚを中心に回動して第１形態と第２形態とに変形する。
【００３０】
携帯電話機１の機能構成について説明する。
図２は、本実施形態に係る携帯電話機１の機能構成を示すブロック図である。
図２に示すように、携帯電話機１は、操作部１１と、マイク１２と、電源操作部１７と、表示部２１と、ＬＣＤドライバ２２と、レシーバ２３と、スピーカ２４と、通信部３１と、ＬＣＤ処理部３２と、接続部３３と、記憶部３４と、補正部３５と、制御部３６とを備える。
【００３１】
スピーカ２４は、携帯電話機１の操作音又は着信音等を出力する。スピーカ２４は、第１筐体２に設けられていてもよい。
【００３２】
通信部３１は、アンテナ部３１１と、通信処理部３１２とを備える。
アンテナ部３１１は、所定の周波数帯（例えば、８００ＭＨｚ帯）で変調された信号により基地局と無線通信を行う。アンテナ部３１１は、通信処理部３１２により変調処理が行われた音声信号を基地局に送信する。アンテナ部３１１は、基地局を介して他の通信機器と通信を行う。
通信処理部３１２は、基地局に送信する信号を所定の周波数帯で変調処理する。通信処理部３１２は、基地局から受信した信号を所定の周波数帯で復調処理する。通信処理部３１２は、復調処理が行われた信号を、制御部３６に出力する。
【００３３】
ＬＣＤ処理部３２は、画像処理を行う。ＬＣＤ処理部３２は、処理後の画像データをＬＣＤドライバ２２に出力する。ＬＣＤドライバ２２は、フレームメモリを備えている。ＬＣＤドライバ２２は、ＬＣＤ処理部３２から供給された画像データをメモリに蓄える。そして、ＬＣＤドライバ２２は、メモリに蓄えられた画像データを表示部２１に出力する。画像処理を制御部３６で行う場合、このＬＣＤ処理部３２を省略してもよい。
接続部３３は、音声を外部機器に出力するためインターフェースである。外部機器としてイヤホン５が接続される。
【００３４】
記憶部３４は、複数のアプリケーションプログラムを記憶する。記憶部３７は、携帯電話機１の内部に固定されていてもよいし、着脱可能であってもよい。
【００３５】
補正部３５は、入力された音声の音質補正を行う。
補正部３５の詳細な機能について図３を用いて説明する。図３は、本実施形態に係る補正部３５の機能を示すブロック図である。補正部３５は、バランサ３５１と、ミキサ３５２と、調整部３５３とを備える。
バランサ３５１は、マイク１２から入力された音声の音量を調整して、マイク１２から入力された音声の音量と、通話相手からの音声の音量とのバランスを調整する。バランサ３５１は、マイク１２から入力された音声の全周波数成分を小さくしたり、大きくしたりする。このバランサ３５１は、省略することができる。
ミキサ３５２は、マイク１２から入力された音声と、通信部３１を用いて受信した音声とをミキシングする。
【００３６】
調整部３５３は、補正パラメータと調整ターゲット特性とを関連付けた補正テーブルを記憶する。補正テーブルにおいて、制御部３６により一の補正パラメータが選択されている。調整部３５３は、選択されている補正パラメータに対応する調整ターゲット特性に基づいて、入力された音声の音質補正を行う。調整部３５３は、音質補正が行われた音声を制御部３６に出力する。
図４は、音質補正の調整ターゲット特性を示す概念図である。調整部３５３は、図４のグラフに表示されている２本の折れ線の間の大きさに対応する音声となるように周波数毎に調整を行う。ここでは、周波数帯域で補正パラメータを設定している。例えば、調整部３５３は、１，６００Ｈｚの音声に対して、５０ｄＢ（デシベル）以上９０ｄＢ以下となるように調整する。
【００３７】
調整部３５３の音質補正の方法について説明する。図５は、聴力が低下していない人の聴力特性を示す図である。図６は、聴力が低下した人の聴力特性を示す図である。図７は、聴力が低下していない人の音の聴こえ方と、聴力が低下した人の音の聴こえ方とを対比する図である。
【００３８】
図５に示されるように、９０ｄＢ以上の領域と４０ｄＢ以下の領域とが区分けされている。図５に示されるように、４０ｄＢ以下の音は、聴力が低下していない人が聴き難いと感じる音である。９０ｄＢ以上の音は、一般的に、聴力が低下していない人がうるさいと感じる音である。図６に示されるように、聴力が低下した人が良好に聴こえる音の大きさは、聴力が低下していない人が良好に聴こえる音の大きさと比べた場合、高い周波数において異なる。例えば、聴力が低下した人は、周波数が３，０００Ｈｚにおいて、約６５ｄＢ以下の音が聴き難いと感じる。聴力が低下した人は、４，０００Ｈｚにおいて、約１００ｄＢの音でもうるさいと感じない。
【００３９】
図５及び図６には、母音、有声子音、無声子音の音の大きさが示されている。図５及び図６に示すように、母音及び有声子音は、通常、４０ｄＢから９０ｄＢの範囲に入る。無声子音は、通常、高周波数域の３０ｄＢから６０ｄＢの範囲に入る。無声子音は、母音及び有声子音に比べて小さい音と聴こえる傾向がある。
【００４０】
聴力が低下していない人は、図５に示すように、３００Ｈｚから３，４００Ｈｚまでの音について、４０ｄＢから９０ｄＢまで音声を聴くことができる。聴力が低下した人は、図６に示すように、音声の周波数が高くなるに従って、聴こえ難くなる傾向がある。聴力が低下した人は、母音が聴こえるものの、有声子音及び無声子音が聴こえ難くなってしまう傾向にある。
【００４１】
聴力が低下した人は、図７に示すように、所定の大きさの音より小さい音については、殆ど聴こえない。聴力が低下した人は、所定の大きさの音より大きい音については、聴力が低下していない人と同じように音を感じることができる。例えば、図７の範囲Ａに対応する大きさの音は、聴力が低下した人も聴力が低下していない人と同じように聴こえる。
【００４２】
調整部３５３は、聴こえる音圧の境界が大きくなった周波数の音を、境界よりも大きくなるようにゲイン調整を行う。このゲイン調整によって、聴力が低下した人にとって有声子音及び無声子音が聴きやすくなる。調整部３５３は、うるさく感じる音圧の境界が大きくなった周波数の音を、境界よりも小さくなるようにゲイン調整を行う。このゲイン調整によって、大きい音も聴力が低下した人にとって聴きやすくなる。
【００４３】
携帯電話機１は、音質補正の調整ターゲット特性を、年齢毎に設けるような構成でもよい。補正部３５は、操作部１１を介して年齢を受け付けたことに応じて、該年齢に対応する調整ターゲット特性に基づいて補正を行う。
携帯電話機１は、音質補正の調整ターゲット特性を、聴力の低下度合いに応じて複数段階で設定してもよい。このような構成の場合、補正部３５は、操作部１１を介して選択を受け付け、該選択された調整ターゲット特性に基づいて補正を行う。
【００４４】
制御部３６は、携帯電話機１の全体を制御する。
制御部３６は、例えば、ＣＰＵ（Ｃｅｎｔｒａｌ  Ｐｒｏｃｅｓｓｉｎｇ  Ｕｎｉｔ）を含む。制御部３６は、複数のマイクロプロセッサを含んでいてもよい。
この制御部３６は、集音機能を有しており、出力制御部、変更部及び受付部として動作する。
【００４５】
制御部３６は、接続部３３の端子の電圧変化を監視する。制御部３６は、電圧変化に基づいて、接続部３３に対するイヤホン５の接続を検出する。制御部３６は、電圧変化に基づいて、接続部３３からのイヤホン５の接続解除を検出する。
【００４６】
制御部３６は、マイク１２により入力された音声を通信処理部３１２に出力する。制御部３６は、マイク１２により入力された音声に対して、音声の周波数を全体的に遅延させる機能を有していてもよい。この機能を有する携帯電話機１では、使用者がゆっくり話しているように話し相手に聴こえる。この場合、制御部３６は、この補正された音声を通信処理部３１２に出力する。
【００４７】
制御部３６は、マイク１２により入力された音声を補正部３５に出力する。制御部３６は、補正部３５により補正された音声をレシーバ２３に出力する。
制御部３６は、接続部３３にイヤホン５が接続されると、補正部３５により補正された音声をイヤホン５に出力する。例えば、携帯電話機１では、接続部３３にイヤホン５が接続されたことを検出してレシーバ２３からイヤホン５から出力を切り替えている。この場合、制御部３６は、接続部３３の電圧の変化に基づいて、接続部３３にイヤホン５が接続されたことを検出する。例えば、制御部３６は、補正部３５により補正された音声をイヤホン５とレシーバ２３との双方に出力してもよい。
制御部３６は、接続部３３に対するイヤホンの接続が解除されると、補正部３５により補正された音声をレシーバ２３から出力する。
【００４８】
制御部３６は、イヤホン５が接続部３３に接続されている場合において、操作部１１からの操作入力に基づいて、補正された音声の出力先をレシーバ２３からイヤホン５に切り替える。制御部３６は、補正された音声をイヤホン５に出力する。
【００４９】
制御部３６は、開状態から閉状態に変形すると、前記補正された音声の出力先をレシーバ２３からイヤホン５に切り替える。例えば、制御部３６は、第１筐体２と第２筐体３とが開状態であるか閉状態であるかを検出する。制御部３６は、イヤホン５が接続部３３に接続され、かつ、補正された音声の出力先がレシーバ２３である場合において閉状態を検出したとき、補正された音声の出力先をレシーバ２３からイヤホン５に切り替える。イヤホン５が接続されていない場合は、出力を停止してもよい。
制御部３６は、補正された音声の出力先がイヤホン５である場合、閉状態と開状態とにかかわらず、該補正された音声のイヤホン５への出力を継続する。
【００５０】
制御部３６は、補正された音声の出力先をレシーバ２３とイヤホン５とで切り替えると、音質補正の補正パラメータを変更する。制御部３６は、補正された音声の出力先をイヤホン５に切り替える場合、補正パラメータを第１の補正パラメータに切り替える。第１の補正パラメータは、イヤホン５を接続している場合に用いる補正パラメータである。制御部３６は、補正された音声の出力先をレシーバ２３に切り替える場合、補正パラメータを第２の補正パラメータに切り替える。第２の補正パラメータは、レシーバ２３を接続している場合に用いる補正パラメータである。
【００５１】
制御部３６は、補正パラメータに対応する補正レベルが所定値を超えているときに、該補正レベルを所定レベルに変更する。例えば、制御部３６は、補正された音声の出力先をイヤホン５からレシーバ２３に切り替える場合、補正に用いられる補正パラメータに対応する調整ターゲット特性における最も高い補正レベルが所定値を超えているか判定する。制御部３６は、当該補正レベルが所定値を超えている場合、補正パラメータを所定の補正パラメータに変更する。この所定の補正パラメータは、所定の調整ターゲット特性に対応している。この所定の調整ターゲット特性における最も高い補正レベルを、所定レベルという。これにより、補正パラメータに対応する調整ターゲット特性における最も高い補正レベルが所定レベルに変更される。
所定値は、レシーバ２３から出力された音声が補正部３８により再び補正されにくい程度の音圧レベルに対応している。
【００５２】
制御部３６は、操作部１１を介して補正パラメータの入力を受け付ける。制御部３６は、入力された補正パラメータに対応する補正レベルが所定値を超えている場合、所定レベルに対応する補正パラメータに変更し、入力された補正パラメータに対応する補正レベルが所定値を超えていない場合、入力された補正パラメータに変更する。
【００５３】
例えば、制御部３６は、入力された補正パラメータに対応する調整ターゲット特性において、最も高い補正レベルが所定値を超えているか否かを判定する。制御部３６は、最も高い補正レベルが所定値を超えている場合、補正パラメータを、所定の補正パラメータに変更する。制御部３６は、最も高い補正レベルが所定値を超えていない場合、補正パラメータを、入力された補正パラメータに変更する。補正された音声の出力先がイヤホン５である場合、所定の補正パラメータは、第１の補正パラメータである。補正された音声の出力先がレシーバ２３である場合、所定の補正パラメータは、第２の補正パラメータである。
【００５４】
制御部３６は、最も高い補正レベルが所定値を超えていると判定した場合に、補正パラメータに対応する補正レベルが上限を超えていることを表示部２１に表示させる。
【００５５】
制御部３６は、補正部３５により補正された音声を出力中に着信があると、当該補正された音声の出力先に着信音を出力する。
制御部３６は、イヤホン５から音声が出力されている状態において着信があった場合、イヤホン５に着信音を出力する。一方、制御部３６は、レシーバ２３から音声が出力されている状態において着信があった場合、レシーバ２３に着信音を出力する。
制御部３６は、補正された音声の出力先がレシーバ２３である場合、スピーカ２４から出力するようにしてもよい。
【００５６】
続いて、携帯電話機１において集音機能が動作している場合の処理の流れについて説明する。
図８は、本実施形態に係る携帯電話機１において集音機能が開始した場合における処理の流れを示すフローチャートである。なお、集音機能は、操作部１１を介して集音機能の開始操作が行われたことに応じて開始される。
【００５７】
ステップＳ１において、制御部３６は、イヤホン５が接続部３３に接続されていることが検出されているか否かを判定する。制御部３６は、この判定がＹＥＳの場合、ステップＳ２に処理を移し、この判定がＮＯの場合、ステップＳ５に処理を移す。
【００５８】
ステップＳ２において、制御部３６は、補正部３５により参照する補正パラメータを第１の補正パラメータに設定する。
ステップＳ３において、制御部３６は、マイク１２により集音された音のイヤホン５への出力を開始する。すると、補正部３８において、第１の補正パラメータに対応する調整ターゲット特性に基づいて、マイク１２により集音された音声の補正が行われる。補正された音声は、制御部３６を介してイヤホン５に出力される。制御部３６は、操作部１１を介して集音機能の終了操作が行われたことに応じて、集音機能を終了する。
【００５９】
ステップＳ４において、制御部３６は、処理の割込を検出すると、図４〜図７に示される割込処理を実行する。割込処理としては、例えばイヤホン着脱検出処理、音響利得調整要求処理、閉状態検出処理及び開状態検出処理等が挙げられる。制御部３６は、操作部１１を介して集音機能の終了操作が行われたことに応じて、集音機能を終了する。
【００６０】
ステップＳ５において、制御部３６は、補正に用いられる補正パラメータに対応する調整ターゲット特性における最も高い補正レベルが所定値を超えているか判定する。制御部３６は、この判定がＹＥＳの場合、ステップＳ６に処理を移し、この判定がＮＯの場合、ステップＳ７に処理を移す。
【００６１】
ステップＳ６において、制御部３６は、補正部３５により参照する補正パラメータを第２の補正パラメータに設定する。
ステップＳ７において、制御部３６は、補正部３５により参照する補正パラメータを第１の補正パラメータに設定する。
【００６２】
ステップＳ８において、制御部３６は、マイク１２により集音した音のレシーバ２３への出力を開始する。すると、補正部３８において、第１の補正パラメータ又は第２の補正パラメータに基づいて、マイク１２により集音された音声の補正が行われる。補正された音声は、制御部３６を介してレシーバ２３に出力される。
【００６３】
ステップＳ９において、制御部３６は、処理の割込を検出すると、図４〜図７に示される割込処理等を実行する。制御部３６は、操作部１１を介して集音機能の終了操作が行われたことに応じて、集音機能を終了する。
【００６４】
図９は、本実施形態に係る携帯電話機１において集音機能が動作している場合の割込処理であるイヤホン着脱検出処理の流れを示すフローチャートである。なお、イヤホン着脱検出処理は、接続部３３に対するイヤホン５の接続、及び接続部からのイヤホン５の接続解除を検出したことに応じて開始される。
【００６５】
ステップＳ１１において、制御部３６は、イヤホン５が接続部３３に接続されているか否かを判定する。制御部３６は、この判定がＹＥＳの場合、ステップＳ１２に処理を移し、この判定がＮＯの場合、ステップＳ１４に処理を移す。
【００６６】
ステップＳ１２において、制御部３６は、補正部３５により参照する補正パラメータを第１の補正パラメータに設定する。
【００６７】
ステップＳ１３において、制御部３６は、マイク１２により集音された音のイヤホン５への出力を開始する。すると、補正部３８において、第１の補正パラメータに基づいて、マイク１２により集音された音声の補正が行われる。補正された音声は、制御部３６を介してイヤホン５に出力される。その後、制御部３６は、イヤホン着脱検出処理を終了する。
【００６８】
ステップＳ１４において、制御部３６は、補正に用いられる補正パラメータに対応する調整ターゲット特性における最も高い補正レベルが所定値を超えているか判定する。制御部３６は、この判定がＹＥＳの場合、ステップＳ１５に処理を移し、この判定がＮＯの場合、ステップＳ１６に処理を移す。
【００６９】
ステップＳ１５において、制御部３６は、補正部３５により参照する補正パラメータを第２の補正パラメータに設定する。
ステップＳ１６において、制御部３６は、補正部３５により参照する補正パラメータを第１の補正パラメータに設定する。
【００７０】
ステップＳ１７において、制御部３６は、マイク１２により集音された音のレシーバ２３への出力を開始する。すると、補正部３８において、第１の補正パラメータ又は第２の補正パラメータに基づいて、マイク１２により集音された音声の補正が行われる。そして、補正された音声がレシーバ２３に出力される。その後、制御部３６は、イヤホン着脱検出処理を終了する。
【００７１】
図１０は、本実施形態に係る携帯電話機１において集音機能が動作している場合の割込処理である調整要求処理の流れを示すフローチャートである。なお、調整要求処理は、制御部において補正パラメータの調整要求が行われたことに応じて開始される。
【００７２】
ステップＳ２１において、制御部３６は、要求された補正パラメータに対応する調整ターゲット特性における最も高い補正レベルが所定値を超えているか判定する。制御部３６は、この判定がＹＥＳの場合、ステップＳ２２に処理を移し、この判定がＮＯの場合、ステップＳ２４に処理を移す。
【００７３】
ステップＳ２２において、制御部３６は、補正部３５により参照する補正パラメータを所定の補正パラメータに設定する。補正された音声の出力先がイヤホン５である場合、所定の補正パラメータは、第１の補正パラメータである。補正された音声の出力先がレシーバ２３である場合、所定の補正パラメータは、第２の補正パラメータである。
ステップＳ２３において、制御部３６は、要求された音響利得が上限を超えている旨を表示部２１に表示させる。その後、制御部３６は、調整要求処理を終了する。
【００７４】
ステップＳ２４において、制御部３６は、補正部３５により参照する補正パラメータを要求された補正パラメータに変更する。その後、制御部３６は、調整要求処理を終了する。
【００７５】
図１１は、本実施形態に係る携帯電話機１において集音機能が動作している場合の割込処理の流れを示すフローチャートである。この割込処理は、開状態から閉状態に変化したことを検出したことに応じて開始される。この割込処理を閉状態検出処理として説明する。
【００７６】
ステップＳ３１において、制御部３６は、マイク１２により入力された音声がレシーバ２３に出力されているか否かを判定する。制御部３６は、この判定がＹＥＳの場合、ステップＳ３２に処理を移し、この判定がＮＯの場合、閉状態検出処理を終了する。
【００７７】
ステップＳ３２において、制御部３６は、集音機能を停止する。その後、制御部３６は、閉状態検出処理を終了する。
なお、ステップＳ３１における判定がＮＯの場合、補正された音声がイヤホン５から音声が出力される状態である。この状態において、制御部３６は、閉状態を検出しても集音機能を停止させる処理を行わない。
【００７８】
図１２は、本実施形態に係る携帯電話機１において集音機能が動作している場合の割込処理の流れを示すフローチャートである。この割込処理は、閉状態から開状態に変化したことを検出したことに応じて開始される。この割込処理を開状態検出処理として説明する。
【００７９】
ステップＳ４１において、制御部３６は、マイク１２により入力された音声がレシーバ２３に出力されているか否かを判定する。制御部３６は、この判定がＹＥＳの場合、ステップＳ４２に処理を移し、この判定がＮＯの場合、開状態検出処理を終了する。
【００８０】
ステップＳ４２において、制御部３６は、集音機能を開始して、レシーバ２３からの音声の出力を開始する。その後、制御部３６は、開状態検出処理を終了する。
なお、ステップＳ４１における判定がＮＯの場合、携帯電話機１は、イヤホン５から音声が出力される状態である。つまり、イヤホン５から音声が出力される状態である場合、制御部３６は、閉状態を検出しても集音機能を停止させる処理を行わない。
【００８１】
以上、本実施形態によれば、以下のような作用効果を奏する。
レシーバ２３は、マイク１２により集音され補正部３５により補正された音声を出力する。携帯電話機１では、レシーバ２３から補正された音声が出力されるので、ユーザは、良好に補聴することができる。
【００８２】
制御部３６は、接続部３３にイヤホン５が接続されると、補正部３５により補正された音声をイヤホン５から出力する。携帯電話機１では、接続部３３にイヤホンが接続された場合、イヤホン５を用いて補聴できる。
【００８３】
制御部３６は、操作部１１からの操作に基づいてレシーバ２３からイヤホン５に出力先を切り替えて、補正された音声を出力する。携帯電話機１では、ユーザの操作に基づいて出力先を切り替えることができる。この出力先の切り替えは、ユーザが所望する動作を事前に設定していてもよい。
【００８４】
制御部３６は、イヤホン５の接続が解除されると、補正された音声をレシーバ２３から出力する。携帯電話機１は、イヤホン５の接続の解除に応じて自動的に補正された音声をレシーバ２３から出力することができる。
【００８５】
制御部３６は、補正された音声の出力先をレシーバ２３とイヤホン５とで切り替えると、音質補正の補正パラメータを変更する。携帯電話機１は、補正された音声の出力先を切り替えたことに応じて、適切な補正パラメータに変更することができる。
【００８６】
制御部３６は、補正された音声の出力先をイヤホン５からレシーバ２３に切り替える場合において、補正パラメータに対応する補正レベルが所定値を超えているときに、該補正レベルを所定レベルに変更する。補正レベルが所定値を超えていると、レシーバ２３からマイク１２に入力される音声が大きいことにより、ハウリングが発生してしまう。携帯電話機１では、補正レベルが所定値を超えている場合に補正レベルを所定レベルに変更するので、このようなハウリングの発生を低減できる。
【００８７】
制御部３６は、入力されたパラメータに対応する補正レベルが所定値を超えている場合、補正パラメータを所定レベルに対応するパラメータに変更する。制御部３６は、入力された前記補正パラメータに対応する補正レベルが所定値を超えていない場合、補正パラメータを入力されたパラメータに変更する。携帯電話機１では、入力されたパラメータに対応する補正レベルが大きいことによるハウリングを低減することができる。
【００８８】
制御部３６は、補正された音声がイヤホン５から出力されている場合に着信すると、イヤホン５から着信音を出力する。制御部３６は、補正された音声がレシーバ２３から出力されている場合に着信すると、レシーバ２３から着信音を出力する。携帯電話機１では、補正された音声の出力先に着信音を出力するので、着信したことをユーザに伝えやすい。
【００８９】
制御部３６は、補正された音声の出力先がイヤホン５である場合、閉状態と開状態とにかかわらず、該補正された音声をイヤホン５に出力し続ける。携帯電話機１は、閉状態と開状態とにかかわらず、イヤホン５を用いた補聴を継続することができる。
【００９０】
制御部３６は、補正された音声の出力先がレシーバ２３である場合、閉状態を検出したとき、該出力先をイヤホン５に切り替える。補正された音声の出力先がレシーバ２３である場合に閉状態となると、レシーバ２３とマイク１２との距離が近接することによりハウリングが発生しやすくなる。携帯電話機１は、この場合において、レシーバ２３からの音声の出力を停止して、ハウリングを低減することができる。携帯電話機１は、イヤホン５が接続されている場合において閉状態を検出したとき、自動的にイヤホン５による補聴に切り替えることができる。携帯電話機１は、イヤホン５が接続されている場合において閉状態を検出したとき、レシーバ２３からの出力を停止してもよいし、マイク１２からの入力を停止してもよい。
【００９１】
以上、好適な実施形態について説明したが、本発明は上述した実施形態に限定されることなく種々の形態で実施することができる。例えば、上述の実施形態において、携帯電子機器として携帯電話機１について説明しているが、これに限定されない。例えば、携帯電子機器は、ＰＨＳ（登録商標：Ｐｅｒｓｏｎａｌ  Ｈａｎｄｙ  ｐｈｏｎｅ  Ｓｙｓｔｅｍ）等であってもよい。
【００９２】
本実施形態では、いわゆる折り畳み型の携帯電話装置の形態を示したが、これに限定されない。本発明に係る携帯電話機は、第１筐体２と第２筐体３とが一つの筐体に配置され連結部を有さない型式（ストレートタイプ）であってもよい。本発明に係る携帯電話機は、第１筐体２と第２筐体３とを重ね合わせた状態から一方の筐体を一方向にスライドさせるようにしたスライド式であってもよい。本発明に係る携帯電話装置は、第１筐体２と第２筐体３との重ね合せ方向に沿う軸線を中心に一方の筐体を回転させるようにした回転式であってもよい。
【００９３】
本実施形態では、補正部３５が、ミキシングを行ってから音声の音質補正を行うようにしたが、これに限定されない。本発明に係る補正部は、第１調整部と、第２調整部と、ミキサを設ける構成であってもよい。このような構成において、第１調整部はマイク１２から入力された音声を補正する。第２調整部は、通信部３１を用いて受信した音声を補正する。ミキサは、第１調整部により補正された音声と、第２調整部により補正された音声とをミキシングする。このミキサは、ミキシングされた音声を制御部３６に出力する。
【００９４】
本実施形態では、補正された音声の出力先をイヤホン５からレシーバ２３に切り替える場合、補正に用いられる補正パラメータに対応する調整ターゲット特性における最も高い補正レベルが所定値を超えているか判定したが、これに限定されない。本発明に係る携帯電話機では、補正パラメータを、補正レベルに対応した数値で表現する構成としてもよい。このような構成において、制御部では、補正パラメータが示す数値に基づいて補正レベルを調整する。
補正パラメータは、マイク１２からの音声に用いるパラメータと、通話相手からの音声に用いるパラメータとを別々に有していてもよい。別々のパラメータを用いた携帯電話機では、デバイスに依存する特性に応じた補正を行うことができる。
【００９５】
本発明に係る携帯電話機は、補正した音声の音圧を測定する測定部を備える構成としてもよい。このような構成の場合、制御部は、測定部により測定された音声に基づいて、補正レベルの調整を行う。
【００９６】
本発明に係る携帯電話機において第１筐体２又は第２筐体３に設けられた各機能部は、第１筐体２又は第２筐体３の少なくともいずれかに設けられていればよい。
【００９７】
本発明には、外部機器と通信を行う通信部と、音声を集音する集音部と、音声を出力する出力部と、所定の音響利得を記憶する記憶部と、音声の音質補正を行う補正部とを備える携帯電子機器が音声を出力する音声出力方法であって、前記補正部が、前記記憶部に記憶されている前記所定の音響利得に基づいて補正を行うステップと、前記出力部が、前記補正部により補正された音声を出力するステップとを含むことを特徴とする音声出力方法が含まれる。
【００９８】
本発明には、外部機器と通信を行う通信部と、音声を集音する集音部と、音声を出力する出力部と、所定の音響利得を記憶する記憶部と、音声の音質補正を行う補正部とを備える携帯電子機器に音声を出力させる音声出力プログラムであって、前記補正部が、前記記憶部に記憶されている前記所定の音響利得に基づいて補正を行うステップと、前記出力部が、前記補正部により補正された音声を出力するステップとを前記携帯電子機器に実行させる音声出力プログラムが含まれる。
【符号の説明】
【００９９】
１  携帯電話機（携帯電子機器）
１２  マイク（入力部）
２３  レシーバ（出力部）
２４  スピーカ
３１  通信部
３３  接続部
３４  記憶部
３５  補正部
３６  制御部（出力制御部、変更部、受付部）
【図１】
0005702251.tif 000002
【図２】
0005702251.tif 000003
【図３】
0005702251.tif 000004
【図４】
0005702251.tif 000005
【図５】
0005702251.tif 000006
【図６】
0005702251.tif 000007
【図７】
0005702251.tif 000008
【図８】
0005702251.tif 000009
【図９】
0005702251.tif 000010
【図１０】
0005702251.tif 000011
【図１１】
0005702251.tif 000012
【図１２】
0005702251.tif 000013